(57)【要約】【課題】昼夜にかかわらず、侵入者に住人が住宅内にいると思わせることによって、住宅内に侵入することを思い止まらせるようにした住宅の防犯装置を提供すること。【解決手段】住宅Ａの軒先に設けた人体検知センサ４と、人体検知センサ４が検知した信号を屋内照明灯１又は（及び）屋内の音響機器２が受信し、屋内照明灯１が点灯したり、音響機器２が音響を発生して、不審者が住宅内に侵入することを諦めさせるようにした。【選択図】        図１
2004355390.tif 000002
【特許請求の範囲】
【請求項１】
住宅の周囲に設けた人体検知センサと、人体検知センサが検知した信号を屋内照明灯と屋内の音響機器の少なくとも一方に送信する人体検知信号送信手段と、人体検知センサが検知した信号を受信し、屋内照明灯が点灯する手段と屋内の音響機器が音響を発生する手段を備えたことを特徴とする住宅の防犯装置。
【請求項２】
昼間には、人体検知センサが検知した信号を屋内の音響機器が受信して音響が発生するようにされていることを特徴とする請求項１記載の住宅の防犯装置。
【請求項３】
夜間には、人体検知センサが検知した信号を少なくとも屋内照明灯が受信して点灯するようにされていることを特徴とする請求項１記載の住宅の防犯装置。
【発明の詳細な説明】
【０００１】
【発明の属する技術分野】
この発明は、住宅の防犯装置に関する。
【０００２】
【従来の技術】
従来、住宅の防犯装置として、留守中に住宅内の人体検知センサが作動した場合や夜間に住宅周囲の人体検知センサが作動した場合には、警備会社などにこの異常を通知する防犯システムを住宅に備えることがある。このような警備会社との契約に基づいた防犯システムは、初期の防犯システム導入費用が嵩むし、導入後の維持管理費用も嵩む。
そこで、異常を警備会社などに通知すること以外の住宅の防犯装置が種々提案されている。
【０００３】
例えば、異常検知手段と、この異常検知手段から異常を検知したときに出力される異常検知信号を周辺の住宅に通信手段を介して送信する送信手段とからなるセキュリティシステムを備えた住宅が提案されている。（特許文献１参照）。
【０００４】
【特許文献１】
特開２００２−１０９６６２号公報（特許請求の範囲他）
【０００５】
また、各住戸毎に設置する住宅情報盤と、この各住宅情報盤に接続して管理人室などに設置する統合盤とを備え、統合盤は、火災や防犯などの異常が発生した旨の発報信号を受信した場合に、異常が発生した旨の発報信号を受信した旨の音声警報を、音声警報回線を介して各住宅情報盤に配信する音声警報配信部を具備するものであり、各住宅情報盤は、配信を受けた音声警報を報知する音響装置を具備し、且つ来訪者と通話するために戸外に設置したドアホン子器に接続するものである集合住宅システムが提案されている。（特許文献２参照）。
【０００６】
【特許文献２】
特開平１１−４５３８９号公報（特許請求の範囲他）
【０００７】
さらに、人体検知センサと、周囲の照度が設定照度以下になると出力する照度センサと、調光装置とを備え、この調光装置は照度センサの出力を入力すると照明灯を調光状態とし、人体検知センサが人体検知信号を発生すると、照度センサが出力していることを条件として、玄関灯等を全点灯状態へ移行させる住宅の自動照明制御装置が提案されている。（特許文献３参照）。
【０００８】
【特許文献３】
特開平６−５３７２号公報（特許請求の範囲他）
【０００９】
【発明が解決しようとする課題】
特許文献１に記載のセキュリティシステムを備えた住宅では、周辺の住宅の協力が必要となるので煩瑣であり、異常検知信号を周辺の住宅に通信回線を介して送信する送信手段を備えるための費用も嵩むものであっった。
【００１０】
また、特許文献２に記載の集合住宅システムでは、集合住宅において実現できる住宅情報システムであって、一戸建て住宅に適用には、周辺の住宅の協力が必要となり、音声警報回線の送信手段、住宅情報盤などの費用が嵩むので難しいものであった。
【００１１】
また、特許文献３に記載の住宅の自動照明制御装置では、侵入者が住宅の周囲に近づくと、屋外の玄関灯などが全点灯し、侵入者は威嚇される効果はあるものの、侵入者は、しばらく屋内の照明が点灯していない、屋内からの物音がしないなどを観察し、屋内の変化がないので留守であると判断して屋内に侵入するおそれがある。また、昼間には、屋外の玄関灯などが点灯しても威嚇効果は少ない。
【００１２】
この発明は、上記の問題点を解消し、住宅で日常使用している電気機器を警報機器として利用することによって安価な防犯装置とし、昼夜にかかわらず、侵入者に住人が住宅内にいると思わせることによって、住宅内に侵入することを思い止まらせるようにした住宅の防犯装置を提供することを目的とする。
【００１３】
【課題を解決するための手段】
請求項１記載の発明の住宅の防犯装置は、住宅の周囲に設けた人体検知センサと、人体検知センサが検知した信号を屋内照明灯と屋内の音響機器の少なくとも一方に送信する人体検知信号送信手段と、人体検知センサが検知した信号を受信し、屋内照明灯が点灯する手段と屋内の音響機器が音響を発生する手段を備えたことを特徴とする。
【００１４】
請求項２記載の発明の住宅の防犯装置は、請求項１記載の住宅の防犯装置において、昼間には、人体検知センサが検知した信号を屋内の音響機器が受信して音響が発生するようにされていることを特徴とする。
【００１５】
請求項３記載の発明の住宅の防犯装置は、請求項１記載の住宅の防犯装置において、夜間には、人体検知センサが検知した信号を少なくとも屋内照明灯が受信して点灯するようにされていることを特徴とする。
【００１６】
（作用）
請求項１記載の発明の住宅の防犯装置にあっては、侵入者が住宅の周囲に近づくと、住宅の周囲に設けた人体検知センサが検知し、その信号を屋内照明灯と屋内の音響機器の少なくとも一方に送信し、信号を受信した屋内照明灯が点灯したり、屋内の音響機器が音響を発生するので、侵入者は、住宅内に人が居ると考え、屋内に侵入することを思い止まることになる。
【００１７】
請求項２記載の発明の住宅の防犯装置にあっては、昼間には、人体検知センサが検知した信号を屋内の音響機器が受信して音響が発生するので、侵入者は、住宅内に人が居ると考え、屋内に侵入することを思い止まることになる。
【００１８】
請求項３記載の発明の住宅の防犯装置にあっては、夜間には、人体検知センサが検知した信号を少なくとも屋内照明灯が受信して点灯するようにされているので、侵入者は、住宅内に人が居ると考え、屋内に侵入することを思い止まることになる。
【００１９】
【発明の実施の形態】
この発明の実施の形態を図１の実施例に基づいて説明する。
【００２０】
図１は、この発明の住宅の防犯装置の実施例の説明図であり、１は照明灯、２はテレビジョン、４は人体検知センサ、５は信号回線、６はリモートコントローラである。
【００２１】
照明灯１は住宅Ａの部屋Ｂ、Ｃなどに備えられ、音響機器であるテレビジョン２は部屋Ｃに備えられている。なお、３は照明灯１への電気回線である。
【００２２】
人体検知センサ４は、住宅Ａの周囲の不審者が侵入しそうな所の軒先部に複数個設置されていて、その下方に人が来ると検知するようになっている。なお、不用の場合には、人体検知センサ４は作動しないようＯＦＦ状態になっている。
【００２３】
人体検知センサ４が検知した信号は、信号回線５を介して各照明灯１に送信するようにされ、その信号を屋内照明灯が点灯する手段（不図示）が受信して照明灯を点灯するようにされている。
【００２４】
また、人体検知センサ４が検知した信号は、信号回線５を介してリモートコントローラ６にも送信されるようになっている。
リモートコントローラ６は、信号を受信し、屋内の音響機器が音響を発生する手段（不図示）により作動し、音響機器であるテレビジョン２に電波を送ってテレビジョン２を作動させ、音声を発生させるようになっている。
なお、音響機器としては、テレビジョン２の他、ラジオなどのであってもよい。
【００２５】
また、人体検知センサ４が検知した信号は、照明灯１と、テレビジョン２を作動させるためのリモートコントローラ６の両方に送信するようにセットできる他に、そのいずれか一方に送信するようになっていてもよい。
【００２６】
したがって、留守する場合などに、人体検知センサ４が作動するようにセットし、人体検知センサ４が検知した信号は、照明灯１と、テレビジョン２を作動させるためのリモートコントローラ６の両方に送信するようにセットしておけば、不審者が住宅Ａの周囲の軒先部に近づくと、それを人体検知センサ４が検知する。
【００２７】
その信号が回線５を介して、照明灯１と、テレビジョン２を作動させるためのリモートコントローラ６の両方に送信され、照明灯１が点灯するとともに、テレビジョン２が作動して音声が発生することになり、不審者は住宅内に人が居ると思って侵入を諦めることになる。
【００２８】
また、人体検知センサ４が作動するようにセットし、人体検知センサ４が検知した信号は、照明灯１と、テレビジョン２を作動させるためのリモートコントローラ６のいずれか一方に送信するようにセットした場合でも、不審者は屋内の灯をみるか、音声を聞いて住宅内に人が居ると思って侵入を諦めることになる。
【００２９】
昼間では、照明灯１が点灯するようにセットするよりは、テレビジョン２などの音響機器が作動して音声が発生するようにセットすることが好ましい。
【００３０】
また、夜間には、照明灯１が点灯するようにセットするか、照明灯１が点灯するとともにテレビジョン２などの音響機器が作動して音声が発生するようにセットすることが好ましい。
【００３１】
【発明の効果】
請求項１記載の発明の住宅の防犯装置にあっては、侵入者が住宅の周囲に近づくと、住宅の周囲に設けた人体検知センサが検知し、その信号を屋内照明灯と屋内の音響機器の少なくとも一方に送信し、信号を受信した屋内照明灯が点灯したり、屋内の音響機器が音響を発生するので、侵入者は、住宅内に人が居ると考え、屋内に侵入することを思い止まることになる。
【００３２】
また、屋内照明灯や屋内の音響機器は既存のものを利用できるので、屋外に別途照明灯を設置したり、防犯専用の警報機を設置しなくてよく、設置コスト、ランニングコストが安価となる。
【００３３】
請求項２記載の発明の住宅の防犯装置にあっては、昼間には、人体検知センサが検知した信号を屋内の音響機器が受信して音響が発生するので、侵入者は、住宅内に人が居ると考え、屋内に侵入することを思い止まることになる。
【００３４】
請求項３記載の発明の住宅の防犯装置にあっては、夜間には、人体検知センサが検知した信号を少なくとも屋内照明灯が受信して点灯するようにされているので、侵入者は、住宅内に人が居ると考え、屋内に侵入することを思い止まることになる。
【図面の簡単な説明】
【図１】この発明の住宅の防犯装置の実施例を示す説明図である。
【符号の説明】
１          照明灯
２          テレビジョン（音響機器）
３          電気回線
４          人体検知センサ
５          信号回線
６          リモートコントローラ
【図１】
2004355390.tif 000003